【手続補正書】
【提出日】平成15年10月24日(2003.10.24)
【手続補正１】
【補正対象書類名】明細書
【補正対象項目名】特許請求の範囲
【補正方法】変更
【補正の内容】
【特許請求の範囲】
【請求項１】
第１の画像担持体上に形成されたトナー像を転写され、該転写されたトナー像を第２の画像担持体に転写する中間転写体であって、該中間転写体は、その表面上に、硝酸イオン吸着物質及び層状構造を有する化合物の少なくとも一方を有していることを特徴とする中間転写体。
【請求項２】
前記層状構造を有する化合物が、下記一般式（１）で示されるハイドロタルサイト類化合物である請求項１に記載の中間転写体。
一般式（１）：Ｍ2+(1-X)Ｍ3+X（ＯＨ）2Ａn-(X/n)・ｍＨ2Ｏ
（式中、０＜Ｘ≦０．５、ｍ≧０、Ｍ2+は２価の金属イオン、Ｍ3+は３価の金属イオン、Ａn-はｎ価のアニオンを示す）
【請求項３】
Ａn-の共役酸ＨＡ(n-1)-の酸解離指数ｐＫａが３以上である請求項２に記載の中間転写体。
【請求項４】
前記ハイドロタルサイト類化合物が、下記一般式（２）で示される請求項３に記載の中間転写体。
一般式（２）：Ｍｇ(1-X)ＡｌX（ＯＨ）2（ＣＯ3）X/2・ｍＨ2Ｏ
（式中、０＜Ｘ≦０．５、ｍ≧０を示す）
【請求項５】
前記層状構造を有する化合物が、下記一般式（３）で示されるリチウムアルミネート類化合物である請求項１に記載の中間転写体。
一般式（３）：Ｌｉ(1-X)Ｍ2+XＭ3+2（ＯＨ）6Ａn-((1+X)/n)・ｍＨ2Ｏ
（式中、０＜Ｘ≦０．５、ｍ≧０、Ｍ2+は２価の金属イオン、Ｍ3+は３価の金属イオン、Ａn-はｎ価のアニオン、ｎは１以上の整数を示す）
【請求項６】
Ａn-の共役酸ＨＡ(n-1)-の酸解離指数ｐＫａが３以上である請求項５に記載の中間転写体。
【請求項７】
前記層状構造を有する化合物が、下記一般式（４）で示される請求項１に記載の中間転写体。
一般式（４）：Ｍ2+(1-X)Ｍ3+XＯ(1+X/2)・ｍＨ2Ｏ
（式中、０＜Ｘ≦０．５、ｍ≧０、Ｍ2+は２価の金属イオン、Ｍ3+は３価の金属イオン示す）
【請求項８】
前記層状構造を有する化合物が、下記一般式（５）で示される請求項７に記載の中間転写体。
一般式（５）：Ｍｇ(1-X)ＡｌXＯ(1+X/2)・ｍＨ2Ｏ
（式中、０＜Ｘ≦０．５、ｍ≧０を示す）
【請求項９】
硝酸イオン吸着物質及び層状構造を有する化合物の存在量が０．１ｍｇ〜２ｇ／１０００ｃｍ2である請求項１〜８のいずれかに記載の中間転写体。
【請求項１０】
硝酸イオン吸着物質及び層状構造を有する化合物が粉体である請求項１〜９のいずれかに記載の中間転写体。
【請求項１１】
粉体が０．００５〜１０００μｍの重量平均粒径を有する請求項１０に記載の中間転写体。
【請求項１２】
前記硝酸イオン吸着物質又は層状構造を有する化合物は、外気と触れる状態で中間転写体の表面上に存在している請求項１〜１１のいずれかに記載の中間転写体。
【請求項１３】
電子写真方式を用いた画像形成装置であって、第１の画像担持体上に形成されたトナー像を第２の画像担持体に転写可能に保持する中間転写体を具備し、該中間転写体が、請求項１〜１２のいずれかに記載の中間転写体であることを特徴とする画像形成装置。
【請求項１４】
中間転写体のクリーニング手段として静電クリーニング手段を有する請求項１３に記載の画像形成装置。
【請求項１５】
第１の画像担持体、該第１の画像担持体上に形成されたトナー像を転写され、該転写されたトナー像を第２の画像担持体上に転写する中間転写体、及び該中間転写体の表面上に硝酸イオン吸着物質及び層状構造を有する化合物の少なくとも一方を塗布する手段を有することを特徴とする画像形成装置。
【請求項１６】
前記層状構造を有する化合物が、下記一般式（１）で示されるハイドロタルサイト類化合物である請求項１５に記載の画像形成装置。
一般式（１）：Ｍ2+(1-X)Ｍ3+X（ＯＨ）2Ａn-(X/n)・ｍＨ2Ｏ
（式中、０＜Ｘ≦０．５、ｍ≧０、Ｍ2+は２価の金属イオン、Ｍ3+は３価の金属イオン、Ａn-はｎ価のアニオンを示す）
【請求項１７】
前記層状構造を有する化合物が、下記一般式（３）で示されるリチウムアルミネート類化合物である請求項１５に記載の画像形成装置。
一般式（３）：Ｌｉ(1-X)Ｍ2+XＭ3+2（ＯＨ）6Ａn-((1+X)/n)・ｍＨ2Ｏ
（式中、０＜Ｘ≦０．５、ｍ≧０、Ｍ2+は２価の金属イオン、Ｍ3+は３価の金属イオン、Ａn-はｎ価のアニオン、ｎは１以上の整数を示す）
【請求項１８】
前記層状構造を有する化合物が、下記一般式（４）で示される請求項１５に記載の画像形成装置。
一般式（４）：Ｍ2+(1-X)Ｍ3+XＯ(1+X/2)・ｍＨ2Ｏ
（式中、０＜Ｘ≦０．５、ｍ≧０、Ｍ2+は２価の金属イオン、Ｍ3+は３価の金属イオン示す）
【請求項１９】
硝酸イオン吸着物質及び層状構造を有する化合物の存在量が０．１ｍｇ〜２ｇ／１０００ｃｍ2である請求項１５〜１８のいずれかに記載の画像形成装置。
【請求項２０】
硝酸イオン吸着物質及び層状構造を有する化合物が粉体である請求項１５〜１９のいずれかに記載の画像形成装置。
【請求項２１】
粉体が０．００５〜１０００μｍの重量平均粒径を有する請求項２０に記載の画像形成装置。
【請求項２２】
中間転写体のクリーニング手段として静電クリーニング手段を有する請求項１５〜２１のいずれかに記載の画像形成装置。
【請求項２３】
硝酸イオン吸着物質及び層状構造を有する化合物の塗布量がＡ４画像１０００枚あたり０．１ｍｇ〜１００ｇである請求項１５〜２２のいずれかに記載の画像形成装置。
【請求項２４】
第１の画像担持体上に形成されたトナー像を、第２の画像担持体に転写可能に保持する中間転写体であって、該中間転写体は、その表面に、下記（ｉ）〜(iv)から選ばれる何れかを有していることを特徴とする中間転写体：
（ｉ）下記一般式（１）で示されるハイドロタルサイト類化合物
Ｍ2+(1-X)Ｍ3+X（ＯＨ）2Ａn-(X/n)・ｍＨ2Ｏ・・・（１）
（式（１）中、０＜Ｘ≦０．５、ｍ≧０、Ｍ2+は２価の金属イオン、Ｍ3+は３価の金属イオン、Ａn-はｎ価のアニオンを示す）；
（ｉｉ）下記一般式（３）で示されるリチウムアルミネート類化合物
Ｌｉ(1-X)Ｍ2+XＭ3+2（ＯＨ）6Ａn-((1+X)/n)・ｍＨ2Ｏ・・・（３）
（式（３）中、０＜Ｘ≦０．５、ｍ≧０、Ｍ2+は２価の金属イオン、Ｍ3+は３価の金属イオン、Ａn-はｎ価のアニオン、ｎは１以上の整数を示す）；
（ｉｉｉ）下記一般式（４）で示される化合物
Ｍ2+(1-X)Ｍ3+XＯ(1+X/2)・ｍＨ2Ｏ・・・（４）
（式（４）中、０＜Ｘ≦０．５、ｍ≧０、Ｍ2+は２価の金属イオン、Ｍ3+は３価の金属イオン示す）；
（ｉｖ）１〜４級アミン基を有するアニオン交換体。
【手続補正２】
【補正対象書類名】明細書
【補正対象項目名】０００８
【補正方法】変更
【補正の内容】
【０００８】
【発明を解決するための手段】
本発明に従って、第１の画像担持体上に形成されたトナー像を転写され、該転写されたトナー像を第２の画像担持体に転写する中間転写体であって、該中間転写体は、その表面上に、硝酸イオン吸着物質及び層状構造を有する化合物の少なくとも一方を有している中間転写体が提供される。


【手続補正３】
【補正対象書類名】明細書
【補正対象項目名】０００９
【補正方法】変更
【補正の内容】
【０００９】
また本発明に従って、電子写真方式を用いた画像形成装置であって、第１の画像担持体上に形成されたトナー像を第２の画像担持体に転写可能に保持する中間転写体を具備し、該中間転写体が、前記中間転写体である画像形成装置が提供される。


【手続補正４】
【補正対象書類名】明細書
【補正対象項目名】００１０
【補正方法】変更
【補正の内容】
【００１０】
更に本発明に従って、第１の画像担持体、該第１の画像担持体上に形成されたトナー像を転写され、該転写されたトナー像を第２の画像担持体上に転写する中間転写体、及び該中間転写体の表面上に硝酸イオン吸着物質及び層状構造を有する化合物の少なくとも一方を塗布する手段を有する画像形成装置が提供される。
更に本発明に従って、第１の画像担持体上に形成されたトナー像を、第２の画像担持体に転写可能に保持する中間転写体であって、該中間転写体は、その表面に、下記（ｉ）〜(iv)から選ばれる何れかを有していることを特徴とする中間転写体が提供される：
（ｉ）下記一般式（１）で示されるハイドロタルサイト類化合物
Ｍ2+(1-X)Ｍ3+X（ＯＨ）2Ａn-(X/n)・ｍＨ2Ｏ・・・（１）
（式（１）中、０＜Ｘ≦０．５、ｍ≧０、Ｍ2+は２価の金属イオン、Ｍ3+は３価の金属イオン、Ａn-はｎ価のアニオンを示す）；
（ｉｉ）下記一般式（３）で示されるリチウムアルミネート類化合物
Ｌｉ(1-X)Ｍ2+XＭ3+2（ＯＨ）6Ａn-((1+X)/n)・ｍＨ2Ｏ・・・（３）
（式（３）中、０＜Ｘ≦０．５、ｍ≧０、Ｍ2+は２価の金属イオン、Ｍ3+は３価の金属イオン、Ａn-はｎ価のアニオン、ｎは１以上の整数を示す）；
（ｉｉｉ）下記一般式（４）で示される化合物
Ｍ2+(1-X)Ｍ3+XＯ(1+X/2)・ｍＨ2Ｏ・・・（４）
（式（４）中、０＜Ｘ≦０．５、ｍ≧０、Ｍ2+は２価の金属イオン、Ｍ3+は３価の金属イオン示す）；
（ｉｖ）１〜４級アミン基を有するアニオン交換体。